【手続補正書】
【提出日】平成17年9月20日(2005.9.20)
【手続補正１】
【補正対象書類名】明細書
【補正対象項目名】発明の名称
【補正方法】変更
【補正の内容】
【発明の名称】画像形成システムおよび画像形成装置
【手続補正２】
【補正対象書類名】明細書
【補正対象項目名】特許請求の範囲
【補正方法】変更
【補正の内容】
【特許請求の範囲】
【請求項１】  原稿から画像を読み取って画像データを得る画像読取手段と画像データに基づいて用紙に画像を形成する画像形成手段と画像データに対して画像処理を施す第１の画像処理手段とを有する複数の画像形成装置と、画像データに対して画像処理を施す第２の画像処理手段を有する情報処理装置とをネットワークで接続して成る画像形成システムにおいて、
前記画像形成装置が、該画像形成装置を特定する装置ＩＤを記憶する装置ＩＤ記憶手段と、出力すべき画像データと前記装置ＩＤ記憶手段に記憶してある装置ＩＤと該画像データを転送する相手の画像形成装置のアドレスである転送先アドレスとを前記情報処理装置に対して送信する第１の画像データ送信手段とをさらに有し、
前記情報処理装置が、前記第１の画像データ送信手段からの画像データと装置ＩＤと転送先アドレスとを受信する第１の画像データ受信手段と、前記第１の画像データ受信手段で受信した画像データと装置ＩＤとを該第１の画像データ受信手段で受信した転送先アドレスに対して送信する第２の画像データ送信手段とをさらに有し、
前記画像形成装置が、該画像形成装置以外の装置が転送元である画像データの画像形成に関する制限を設定する外部データ出力制限設定手段と、前記第２の画像データ送信手段からの画像データと装置ＩＤとを受信する第２の画像データ受信手段と、前記第２の画像データ受信手段で受信した装置ＩＤと前記装置ＩＤ記憶手段に記憶してある装置ＩＤとが一致するかを判定し、一致しない場合には、前記外部データ出力制限設定手段で設定された制限に基づいて、該第２の画像データ受信手段で受信した画像データを前記画像形成手段によって画像形成する制御手段とをさらに有する
ことを特徴とする画像形成システム。
【請求項２】  前記外部データ出力制限設定手段が、少なくとも「常に出力許可」および「常に出力禁止」の２種類の設定が可能であることを特徴とする請求項１に記載の画像形成システム。
【請求項３】  前記外部データ出力制限設定手段が、少なくとも「リミット付与」の設定が可能であって、該「リミット付与」のリミット値を設定するリミット値設定手段を有し、
前記制御手段が、出力枚数が前記リミット値設定手段で設定されたリミット値に達するまでは出力を許可し、該リミット値に達したならば出力を禁止する
ことを特徴とする請求項１または２に記載の画像形成システム。
【請求項４】  前記画像形成装置が操作者であるユーザを認証するユーザ認証手段とユーザ毎に出力制限設定を行うユーザ毎出力制限設定手段とをさらに有し、
前記第１の画像データ送信手段が、該第１の画像データ送信手段で送信する画像データの出力を操作したユーザのユーザ情報も前記情報処理装置に対して送信し、
前記第１の画像データ受信手段が、前記第１の画像データ送信手段からのユーザ情報も受信し、
前記第２の画像データ送信手段が、前記第１の画像データ受信手段で受信したユーザ情報も、該第１の画像データ受信手段で受信した転送先アドレスに対して送信し、
前記第２の画像データ受信手段が、前記第２の画像データ送信手段からのユーザ情報も受信し、
前記制御手段が、前記第２の画像データ受信手段で受信した装置ＩＤと前記装置ＩＤ記憶手段に記憶してある装置ＩＤとが一致するかを判定し、一致する場合には、該第２の画像データ受信手段で受信したユーザ情報のユーザに対して前記ユーザ毎出力制限設定手段で設定された制限に基づいて、該第２の画像データ受信手段で受信した画像データを前記画像形成手段によって画像形成する制御手段とをさらに有する
ことを特徴とする請求項１〜３のうちのいずれか１項に記載の画像形成システム。
【請求項５】  前記制御手段による、前記第２の画像データ受信手段で受信した装置ＩＤと前記装置ＩＤ記憶手段に記憶してある装置ＩＤとが一致するかを判定し、一致する場合の出力制限の制御が、前記情報処理装置を介さずに該画像形成装置内で画像データを画像形成する際の出力制限の制御と同じであることを特徴とする請求項４に記載の画像形成システム。
【請求項６】  前記制御手段が、第２の画像データ受信手段で受信した画像データの画像形成を拒否する場合に、その旨を該画像データの出力を操作したユーザに対して通知することを特徴とする請求項１〜５のうちのいずれか１項に記載の画像形成システム。
【請求項７】  前記制御手段が、第２の画像データ受信手段で受信した画像データの画像形成を拒否する場合に、その旨を管理者に対して通知することを特徴とする請求項１〜６のうちのいずれか１項に記載の画像形成システム。
【請求項８】  前記制御手段が、前記通知を電子メールで行うことを特徴とする請求項６または７に記載の画像形成システム。
【請求項９】  前記制御手段が、第２の画像データ受信手段で受信した画像データの画像形成を拒否する場合に、その旨を該画像データの転送元の画像形成装置に対して通知し、
前記画像形成装置が、該通知を受けた旨を表示する表示手段をさらに有することを特徴とする請求項１〜８のうちのいずれか１項に記載の画像形成システム。
【請求項１０】  原稿から画像を読み取って画像データを得る画像読取手段と画像データに基づいて用紙に画像を形成する画像形成手段と画像データに対して画像処理を施す第１の画像処理手段とを有し、他の画像形成装置および画像データに対して画像処理を施す第２の画像処理手段を有する情報処理装置とをネットワークで接続される画像形成装置において、
該画像形成装置を特定する装置ＩＤを記憶する装置ＩＤ記憶手段と、出力すべき画像データと前記装置ＩＤ記憶手段に記憶してある装置ＩＤと該画像データを転送する相手の画像形成装置のアドレスである転送先アドレスとを前記情報処理装置に対して送信する第１の画像データ送信手段とをさらに有し、
該画像形成装置以外の装置が転送元である画像データの画像形成に関する制限を設定する外部データ出力制限設定手段と、前記情報処理装置からの画像データと装置ＩＤとを受信する第２の画像データ受信手段と、前記第２の画像データ受信手段で受信した装置ＩＤと前記装置ＩＤ記憶手段に記憶してある装置ＩＤとが一致するかを判定し、一致しない場合には、前記外部データ出力制限設定手段で設定された制限に基づいて、該第２の画像データ受信手段で受信した画像データを前記画像形成手段によって画像形成する制御手段とをさらに有することを特徴とする画像形成装置。
【請求項１１】  前記外部データ出力制限設定手段が、少なくとも「常に出力許可」および「常に出力禁止」の２種類の設定が可能であることを特徴とする請求項１０に記載の画像形成装置。
【請求項１２】  前記外部データ出力制限設定手段が、少なくとも「リミット付与」の設定が可能であって、該「リミット付与」のリミット値を設定するリミット値設定手段を有し、前記制御手段が、出力枚数が前記リミット値設定手段で設定されたリミット値に達するまでは出力を許可し、該リミット値に達したならば出力を禁止することを特徴とする請求項１０または１１に記載の画像形成装置。
【請求項１３】  操作者であるユーザを認証するユーザ認証手段とユーザ毎に出力制限設定を行うユーザ毎出力制限設定手段とをさらに有し、
前記第１の画像データ送信手段が、該第１の画像データ送信手段で送信する画像データの出力を操作したユーザのユーザ情報も前記情報処理装置に対して送信し、前記第２の画像データ受信手段が、前記情報処理装置からのユーザ情報も受信し、
前記制御手段が、前記第２の画像データ受信手段で受信した装置ＩＤと前記装置ＩＤ記憶手段に記憶してある装置ＩＤとが一致するかを判定し、一致する場合には、該第２の画像データ受信手段で受信したユーザ情報のユーザに対して前記ユーザ毎出力制限設定手段で設定された制限に基づいて、該第２の画像データ受信手段で受信した画像データを前記画像形成手段によって画像形成する制御手段とをさらに有することを特徴とする請求項１０〜１２のうちのいずれか１項に記載の画像形成装置。
【請求項１４】  前記制御手段による、前記第２の画像データ受信手段で受信した装置ＩＤと前記装置ＩＤ記憶手段に記憶してある装置ＩＤとが一致するかを判定し、一致する場合の出力制限の制御が、前記情報処理装置を介さずに該画像形成装置内で画像データを画像形成する際の出力制限の制御と同じであることを特徴とする請求項１３に記載の画像形成装置。
【請求項１５】  前記制御手段が、第２の画像データ受信手段で受信した画像データの画像形成を拒否する場合に、その旨を該画像データの出力を操作したユーザに対して通知することを特徴とする請求項１０〜１４のうちのいずれか１項に記載の画像形成装置。
【請求項１６】  前記制御手段が、第２の画像データ受信手段で受信した画像データの画像形成を拒否する場合に、その旨を管理者に対して通知することを特徴とする請求項１０〜１５のうちのいずれか１項に記載の画像形成装置。
【請求項１７】  前記制御手段が、前記通知を電子メールで行うことを特徴とする請求項１５または１６に記載の画像形成装置。
【請求項１８】  前記制御手段が、第２の画像データ受信手段で受信した画像データの画像形成を拒否する場合に、その旨を該画像データの転送元の画像形成装置に対して通知し、前記画像形成装置が、該通知を受けた旨を表示する表示手段をさらに有することを特徴とする請求項１０〜１７のうちのいずれか１項に記載の画像形成装置。
【手続補正３】
【補正対象書類名】明細書
【補正対象項目名】０００１
【補正方法】変更
【補正の内容】
【０００１】
【発明の属する技術分野】
本発明は画像形成システムおよび画像形成装置に関し、詳しくは画像形成装置と情報処理装置とがネットワークで接続されて成る画像形成システムおよび画像形成装置に関する。
【手続補正４】
【補正対象書類名】明細書
【補正対象項目名】００１３
【補正方法】変更
【補正の内容】
【００１３】
本発明は上記の点にかんがみてなされたもので、画像形成装置に対してネットワークを介して外部から入力された出力処理であっても、その管理や制限を行うことができる画像形成システムおよび画像形成装置を提供することを目的とする。
【手続補正５】
【補正対象書類名】明細書
【補正対象項目名】００８４
【補正方法】変更
【補正の内容】
【００８４】
【発明の効果】
以上説明したように、本発明によれば、画像形成装置に対してネットワークを介して外部から入力された出力処理であっても、その管理や制限を行うことができる画像形成システムおよび画像形成装置を提供することができる。
【手続補正６】
【補正対象書類名】明細書
【補正対象項目名】００９０
【補正方法】変更
【補正の内容】
【００９０】
また本発明によれば、出力が拒否された場合には、その旨をその処理のユーザや管理者に通知することができるので、より使いやすい画像形成システムおよび画像形成装置を提供することができる。
【手続補正７】
【補正対象書類名】明細書
【補正対象項目名】００９２
【補正方法】変更
【補正の内容】
【００９２】
また本発明によれば、出力が拒否された旨を画像形成装置の表示手段に表示することができるので、より使いやすい画像形成システムおよび画像形成装置を提供することができる。